(57)【要約】【課題】着用者の身体にフィットさせ、より広い範囲で排泄物を吸収できる吸収性物品。【解決手段】吸収体（１０）と、肌側シート（２０）と、幅方向に所定の長さを有する圧搾部（ＥＬ）とを有する吸収性物品（１）であって、吸収体（１０）は、非肌側面の幅方向の中央領域に、長手方向に沿った凹部（１５）を有し、厚さ方向において凹部（１５）に肌側から隣接する肌側部位（Ｈ）の繊維密度は、幅方向において凹部（１５）に外側から隣接する外側部位（Ｌ）の繊維密度よりも高く、最深部（１５ｍ）と幅方向において重なる位置における、吸収体（１０）の厚さ方向の中央（Ｈｃ）は、外側部位（Ｌ）における吸収体（１０）の厚さ方向の中央（Ｌｃ）より、肌側に位置しており、凹部（１５）は、股間部位に設けられ、且つ股間部位より長手方向の外側に延出しており、厚さ方向に見た場合に、凹部（１５）と圧搾部（ＥＬ）は股間部位より長手方向の外側においてのみ交差する。【選択図】図１
2018102829.tif 000002
【特許請求の範囲】
【請求項１】
互いに直交する長手方向、幅方向、及び厚さ方向を備え、
液体吸収性繊維を有する吸収体と、
前記厚さ方向において、前記吸収体より肌側に配置された肌側シートと、
前記幅方向に所定の長さを有し、前記肌側シート及び前記吸収体が圧搾されている圧搾部と、
を有する吸収性物品であって、
前記吸収体は、非肌側面の前記幅方向における中央位置を含む中央領域に、前記長手方向に沿った凹部を有し、
前記厚さ方向において前記凹部に肌側から隣接する肌側部位の繊維密度は、前記幅方向において前記凹部に外側から隣接する外側部位の繊維密度よりも高く、
前記凹部の最も深い最深部と前記幅方向において重なる位置における、前記吸収体の前記厚さ方向の中央は、前記外側部位における、前記吸収体の前記厚さ方向の中央より、前記肌側に位置しており、
前記凹部は、着用時に股間部に位置する股間部位に設けられ、且つ前記股間部位より前記長手方向の外側に延出しており、
前記厚さ方向に見た場合に、前記凹部と前記圧搾部は、前記股間部位より前記長手方向の外側においてのみ交差することを特徴とする吸収性物品。
【請求項２】
請求項１に記載の吸収性物品において、
前記厚さ方向の非肌側にそれぞれウイング粘着部を備えた、前記幅方向の外側に突出する一対のウイング部を有しており、
前記厚さ方向に見た場合に、前記一対のウイング粘着部よりも前記長手方向の外側において、前記凹部と前記圧搾部が交差することを特徴とする吸収性物品。
【請求項３】
請求項１又は２に記載の吸収性物品において、
前記厚さ方向の非肌側にそれぞれウイング粘着部を備えた、前記幅方向の外側に突出する一対のウイング部を有しており、
前記厚さ方向に見た場合に、前記長手方向において、前記ウイング粘着部と重なる領域では、前記凹部と前記圧搾部が交差しないことを特徴とする吸収性物品。
【請求項４】
請求項１から３のいずれか１項に記載の吸収性物品において、
前記厚さ方向において、
前記肌側部位のうち前記吸収体の厚みが最も薄い領域の最も肌側に位置する肌側上部は、前記外側部位における肌側面より肌側に位置しており、
前記圧搾部のうち前記吸収体の厚みが最も薄い領域の最も肌側に位置する圧搾上部は、前記外側部位における肌側面より非肌側に位置していることを特徴とする吸収性物品。
【請求項５】
請求項１から３のいずれか１項に記載の吸収性物品において、
前記厚さ方向において、
前記股間部位における前記肌側部位のうち前記吸収体の厚みが最も薄い領域の最も肌側に位置する肌側上部は、前記外側部位における肌側面より非肌側に位置しており、
前記圧搾部のうち前記吸収体の厚みが最も薄い領域の最も肌側に位置する圧搾上部は、前記外側部位における肌側面より非肌側に位置しており、
前記肌側上部から前記外側部位の肌側面までの長さが、前記圧搾上部から前記外側部位の肌側面までの長さより短いことを特徴とする吸収性物品。
【請求項６】
請求項１から５のいずれか１項に記載の吸収性物品において、
前記圧搾部のうち前記吸収体の厚みが最も薄い領域の繊維密度が、
前記肌側部位のうち前記吸収体の厚みが最も薄い領域の繊維密度よりも高いことを特徴とする吸収性物品。
【請求項７】
請求項６に記載の吸収性物品において、
前記圧搾部のうち前記吸収体の厚みが最も薄い領域の前記吸収体の厚みが、
前記肌側部位のうち前記吸収体の厚みが最も薄い領域の前記吸収体の厚みよりも小さいことを特徴とする吸収性物品。
【請求項８】
請求項１から７のいずれか１項に記載の吸収性物品において、
前記厚さ方向に見た場合の前記凹部と前記圧搾部が交差した交差部分における、前記吸収体の厚みが最も薄い領域の繊維密度は、
前記股間部位における、前記肌側部位のうち前記吸収体の厚みが最も薄い領域の繊維密度より高く、かつ、
前記交差部分よりも前記長手方向の外側における、前記肌側部位のうち前記吸収体の厚みが最も薄い領域の繊維密度よりも高いことを特徴とする吸収性物品。
【請求項９】
請求項８に記載の吸収性物品において、
前記交差部分よりも前記長手方向の外側における、前記肌側部位のうち前記吸収体の厚みが最も薄い領域の繊維密度は、
前記股間部位における、前記肌側部位のうち前記吸収体の厚みが最も薄い領域の繊維密度より低いことを特徴とする吸収性物品。
【請求項１０】
請求項１から９のいずれか１項に記載の吸収性物品において、
前記肌側部位の肌側面と前記肌側シートとの間には、空間を有しており、
前記圧搾部の肌側面と前記肌側シートとの間には、空間を有していないことを特徴とする吸収性物品。
【発明の詳細な説明】
【技術分野】
【０００１】
本発明は、吸収性物品に関する。
【背景技術】
【０００２】
経血等の排泄液を吸収する吸収性物品として生理用ナプキンが知られている。このような生理用ナプキンの例として、特許文献１には、横方向圧縮の影響を受けると、吸収性コア１２に設けられた中央の縦線２２を備える成形線２０に沿って、吸収性コア１２を上向き（肌側）に屈曲させて、身体フィット性を改善させる生理用ナプキン１０が開示されている。
【先行技術文献】
【特許文献】
【０００３】
【特許文献１】特表２００２−５３８８４９号公報
【発明の概要】
【発明が解決しようとする課題】
【０００４】
しかし、特許文献１の生理用ナプキン１０の成形線２０は、縦方向の中央部（股領域）に設けたものであり、着用時に、吸収性コア１２の上向きの屈曲が減少して、着用者の身体へのフィット性が低下してしまう恐れがある。また、着用者の身体にフィットさせようと上向きに屈曲させた縦方向の中央部に、吸収した排泄物が留まってしまうと、排泄物が吸収性物品の表面上で広がってしまったり、使用者に不快感や肌荒れを生じさせたりする恐れがあった。
【０００５】
本発明は、上記のような問題に鑑みてなされたものであって、着用者の身体にフィットさせつつ、吸収体のより広い範囲で排泄物を吸収することができる吸収性物品を提供する。
【課題を解決するための手段】
【０００６】
上記目的を達成するための主たる発明は、
互いに直交する長手方向、幅方向、及び厚さ方向を備え、液体吸収性繊維を有する吸収体と、前記厚さ方向において、前記吸収体より肌側に配置された肌側シートと、前記幅方向に所定の長さを有し、前記肌側シート及び前記吸収体が圧搾されている圧搾部と、を有する吸収性物品であって、前記吸収体は、非肌側面の前記幅方向における中央位置を含む中央領域に、前記長手方向に沿った凹部を有し、前記厚さ方向において前記凹部に肌側から隣接する肌側部位の繊維密度は、前記幅方向において前記凹部に外側から隣接する外側部位の繊維密度よりも高く、前記凹部の最も深い最深部と前記幅方向において重なる位置における、前記吸収体の前記厚さ方向の中央は、前記外側部位における、前記吸収体の前記厚さ方向の中央より、前記肌側に位置しており、前記凹部は、着用時に股間部に位置する股間部位に設けられ、且つ前記股間部位より前記長手方向の外側に延出しており、前記厚さ方向に見た場合に、前記凹部と前記圧搾部は、前記股間部位より前記長手方向の外側においてのみ交差することを特徴とする吸収性物品である。
本発明の他の特徴については、本明細書及び添付図面の記載により明らかにする。
【発明の効果】
【０００７】
本発明によれば、股間部位においては凹部によって吸収体を肌側に隆起させて、着用者の排泄口の近くでより速く排泄物を吸収することができ、吸収した排泄物を凹部に沿って吸収体の長手方向に拡散し、股下部より長手方向の外側で交差した圧搾部によって、幅方向に拡散することができるため、吸収性物品のより広い範囲で排泄物を吸収させることができる。
【図面の簡単な説明】
【０００８】
【図１】図１は、生理用ナプキン１を厚さ方向の肌側から見た正面図である。
【図２】図２は、ナプキン１を厚さ方向の非肌側から見た平面図である。
【図３】図３は、図１中のＡ−Ａ矢視で示す概略断面である。
【図４】図４は、ナプキン１の吸収体１０を厚さ方向の非肌側から見た平面図である。
【図５】図５Ａは、図１中のＢ−Ｂ矢視で示す部分において、加工前の吸収体１０に吸収体点状圧搾部ＥＤ１０を形成した概略断面図である。図５Ｂは、図５Ａの吸収体１０に凹部１５を形成した概略断面図である。図５Ｃは、図５Ｂの吸収体１０にトップシート２０を積層した概略断面図である。図５Ｄは、図５Ｃのナプキン１に本体点状圧搾部ＥＤ２０を形成した概略断面図である。
【図６】図６は、一対のロール部５０の概略拡大図である。
【図７】図７は、ナプキン１の使用態様について説明する図である。
【図８】図８Ａは、図５Ｄにおける凹部１５の概略断面図である。図８Ｂは、図１中のＤ−Ｄ矢視で示す概略断面である。図８Ｃは、図１中のＥ−Ｅ矢視で示す概略断面である。
【図９】図９Ａは、使用前のナプキン１の凹部１５を説明する図である。図９Ｂは、着用状態のナプキン１の凹部１５を説明する図である。
【図１０】図１０は、別の実施形態における股間部位における凹部１５の概略断面図である。
【発明を実施するための形態】
【０００９】
本明細書及び添付図面の記載により、少なくとも以下の事項が明らかとなる。  
互いに直交する長手方向、幅方向、及び厚さ方向を備え、液体吸収性繊維を有する吸収体と、前記厚さ方向において、前記吸収体より肌側に配置された肌側シートと、前記幅方向に所定の長さを有し、前記肌側シート及び前記吸収体が圧搾されている圧搾部と、を有する吸収性物品であって、前記吸収体は、非肌側面の前記幅方向における中央位置を含む中央領域に、前記長手方向に沿った凹部を有し、前記厚さ方向において前記凹部に肌側から隣接する肌側部位の繊維密度は、前記幅方向において前記凹部に外側から隣接する外側部位の繊維密度よりも高く、前記凹部の最も深い最深部と前記幅方向において重なる位置における、前記吸収体の前記厚さ方向の中央は、前記外側部位における、前記吸収体の前記厚さ方向の中央より、前記肌側に位置しており、前記凹部は、着用時に股間部に位置する股間部位に設けられ、且つ前記股間部位より前記長手方向の外側に延出しており、前記厚さ方向に見た場合に、前記凹部と前記圧搾部は、前記股間部位より前記長手方向の外側においてのみ交差することを特徴とする吸収性物品である。
【００１０】
このような吸収性物品によれば、股間部位においては凹部によって吸収体を肌側に隆起させて、着用者の排泄口の近くでより速く排泄物を吸収することができ、吸収した排泄物を凹部に沿って吸収体の長手方向に拡散し、股下部より長手方向の外側で交差した圧搾部によって、幅方向に拡散することができるため、吸収性物品のより広い範囲で排泄物を吸収させることができる。
【００１１】
かかる吸収性物品において、前記厚さ方向の非肌側にそれぞれウイング粘着部を備えた、前記幅方向の外側に突出する一対のウイング部を有しており、前記厚さ方向に見た場合に、前記一対のウイング粘着部よりも前記長手方向の外側において、前記凹部と前記圧搾部が交差することが望ましい。
【００１２】
このような吸収性物品によれば、長手方向においてウイング粘着部が設けられている領域は、着用者の排泄口に近い領域であるため、長手方向においてウイング粘着部と重なる領域で吸収した排泄物を、ウイング粘着部よりも長手方向の外側で交差した圧搾部によって、幅方向に拡散することができるため、吸収性物品のより広い範囲で排泄物を吸収させることができる。
【００１３】
かかる吸収性物品において、前記厚さ方向の非肌側にそれぞれウイング粘着部を備えた、前記幅方向の外側に突出する一対のウイング部を有しており、前記厚さ方向に見た場合に、前記長手方向において、前記ウイング粘着部と重なる領域では、前記凹部と前記圧搾部が交差しないことが望ましい。
【００１４】
このような吸収性物品によれば、長手方向においてウイング粘着部が設けられている領域は、着用者の排泄口に近い領域であるため、長手方向においてウイング粘着部と重なる領域で排泄物を吸収し、吸収体の長手方向の外側に向かって排泄物を拡散させることができる。
【００１５】
かかる吸収性物品において、前記厚さ方向において、前記肌側部位のうち前記吸収体の厚みが最も薄い領域の最も肌側に位置する肌側上部は、前記外側部位における肌側面より肌側に位置しており、前記圧搾部のうち前記吸収体の厚みが最も薄い領域の最も肌側に位置する圧搾上部は、前記外側部位における肌側面より非肌側に位置していることが望ましい。
【００１６】
このような吸収性物品によれば、股間部位はより肌側に位置するため、排泄物をより排泄口の近くで吸収することができ、股間部位から離れた位置に設けられた圧搾部においては、肌側からより離れているため、排泄物が肌に接しないような状態で排泄物を拡散させやすくすることができる。
【００１７】
かかる吸収性物品において、前記厚さ方向において、前記股間部位における前記肌側部位のうち前記吸収体の厚みが最も薄い領域の最も肌側に位置する肌側上部は、前記外側部位における肌側面より非肌側に位置しており、前記圧搾部のうち前記吸収体の厚みが最も薄い領域の最も肌側に位置する圧搾上部は、前記外側部位における肌側面より非肌側に位置しており、前記肌側上部から前記外側部位の肌側面までの長さが、前記圧搾上部から前記外側部位の肌側面までの長さより短いことが望ましい。
【００１８】
このような吸収性物品によれば、股間部位はより肌側に位置するため、排泄物をより排泄口の近くで吸収することができ、股間部位から離れた位置に設けられた圧搾部においては、肌側からより離れているため、排泄物が肌に接しないような状態で排泄物を拡散させやすくすることができる。
【００１９】
かかる吸収性物品において、前記圧搾部のうち前記吸収体の厚みが最も薄い領域の繊維密度が、前記肌側部位のうち前記吸収体の厚みが最も薄い領域の繊維密度よりも高いことが望ましい。
【００２０】
このような吸収性物品によれば、肌側部位で吸収し、長手方向に拡散した排泄物を、より繊維密度が高い圧搾部と交わることで幅方向に拡散させることができるため、吸収体のより広い範囲で排泄物を吸収させることができる。
【００２１】
かかる吸収性物品において、前記圧搾部のうち前記吸収体の厚みが最も薄い領域の前記吸収体の厚みが、前記肌側部位のうち前記吸収体の厚みが最も薄い領域の前記吸収体の厚みよりも小さいことが望ましい。
【００２２】
圧搾部における厚みが最も薄い領域の吸収体の厚みが、凹部における厚みが最も薄い領域の吸収体の厚みより小さい吸収性物品においても、吸収した排泄物を凹部に沿って吸収体の長手方向に拡散し、股間部位より長手方向の外側で交差した圧搾部で、幅方向に拡散することができるため、吸収性物品のより広い範囲で排泄物を吸収させることができる。
【００２３】
かかる吸収性物品において、前記厚さ方向に見た場合の前記凹部と前記圧搾部が交差した交差部分における、前記吸収体の厚みが最も薄い領域の繊維密度は、前記股間部位における、前記肌側部位のうち前記吸収体の厚みが最も薄い領域の繊維密度より高く、かつ、前記交差部分よりも前記長手方向の外側における、前記肌側部位のうち前記吸収体の厚みが最も薄い領域の繊維密度よりも高いことが望ましい。
【００２４】
このような吸収性物品によれば、股間部位で吸収され、凹部に沿って拡散された排泄物は、毛管現象により、より繊維密度が高い凹部と圧搾部が交差した交差部分に引き込まれる。そして、交差部分より長手方向の外側は、より繊維密度が低くなっていることから、交差部分より長手方向の外側には、排泄物が拡散しづらくなっており、吸収性物品の長手方向の外側から排泄物が、漏れてしまう恐れを軽減することができる。
【００２５】
かかる吸収性物品において、前記交差部分よりも前記長手方向の外側における、前記肌側部位のうち前記吸収体の厚みが最も薄い領域の繊維密度は、前記股間部位における、前記肌側部位のうち前記吸収体の厚みが最も薄い領域の繊維密度より低いことが望ましい。
【００２６】
このような吸収性物品によれば、このような吸収性物品によれば、交差部分より長手方向の外側では、股間部位よりも起伏の少ない身体の形状に適切にフィットさせることができ、吸収性物品の長手方向の外側から排泄物が、漏れてしまう恐れを軽減することができる。
【００２７】
かかる吸収性物品において、前記肌側部位の肌側面と前記肌側シートとの間には、空間を有しており、前記圧搾部の肌側面と前記肌側シートとの間には、空間を有していないことが望ましい。
【００２８】
このような吸収性物品によれば、肌側部位の肌側面と肌側シートとの間に空間を有し、圧搾部の肌側面と肌側シートとの間に空間を有していない吸収性物品においても、吸収した排泄物を凹部に沿って吸収体の長手方向に拡散し、股間部位より長手方向の外側で交差した圧搾部で、幅方向に拡散することができるため、吸収性物品のより広い範囲で排泄物を吸収させることができる。
【００２９】
＝＝＝第１実施形態＝＝＝
＜生理用ナプキン１の基本的構成＞
本実施形態に係る吸収性物品の一例として生理用ナプキン１（以下、「ナプキン１」という。）について説明する。なお、以下の説明では、吸収性物品の例として生理用ナプキンについて説明するが、本実施形態の吸収性物品には、所謂おりものシート（例えば、パンティーライナー）等も含まれており、生理用ナプキンに限定されるものではない。
【００３０】
図１は、生理用ナプキン１を厚さ方向の肌側から見た正面図である。図２は、ナプキン１を厚さ方向の非肌側から見た平面図である。図３は、図１中のＡ−Ａ矢視で示す概略断面である。また、以下の説明では、ナプキン１の製品長手方向に沿った「長手方向」と、ナプキン１の製品短手方向に沿って長手方向と直交する「幅方向」と、長手方向及び幅方向とそれぞれ直交する「厚さ方向」と定義する。長手方向は、ナプキン１の使用時において着用者の腹側となる「前側」と、着用者の背側となる「後側」とを有する。厚さ方向は、ナプキン１の着用時に着用者の肌と当接する側（図３において上側）である「肌側」（「上側」ともいう。）と、その反対側（図３において下側）である「非肌側」（「下側」ともいう。）とを有する。また、図中のＸ−Ｘ線は幅方向における中心線である。
【００３１】
ナプキン１は、平面視縦長形状のシート状部材であり、液透過性のトップシート（肌側シート）２０と、液吸収性の吸収体１０と、液不透過性のバックシート（非肌側シート）３０とが厚さ方向の肌側から非肌側へと順に積層されている（図３参照）。そして、これら各部材２０、１０、３０は、それぞれ厚さ方向に隣接する部材と、ホットメルト接着剤等の接着剤ＨＭＡで接合されている。なお、接着剤ＨＭＡは、吸収体１０の肌面側及び非肌面側のそれぞれ全域に亘って任意の塗布パターンで塗布されており、Ωパターンやスパイラルパターン、ストライプパターン等の塗布パターンから選択することができる。
【００３２】
トップシート２０及びバックシート３０の平面形状は同形状であり、その平面サイズは、吸収体１０の平面サイズよりも大きい。そして、図１及び図２に示すように、両シート２０、３０の外周縁部２０ｅ、３０ｅ同士が接着又は溶着で接合されることにより、両シート２０、３０同士の間に吸収体１０が保持される。また、ナプキン１を下着（不図示）に載置固定する際に供される固定部となる、トップシート２０及びバックシート３０の長手方向の略中央部が幅方向の外側に延出したウイング部２０ｗ、３０ｗが形成されている。
【００３３】
吸収体１０は、吸収性コア１１と上側シート１２と下側シート１３とを有する。吸収性コア１１は、経血等の液体（排泄液）を吸収して保持する部材である。吸収性コア１１は、液体吸収性繊維であるセルロース系吸収性繊維と、熱可塑性樹脂繊維とを有し、これらの繊維同士が互いに混合した状態で、図１の破線で示されるように平面視縦長形状に成形されている。例えば、液体吸収性繊維としてはパルプ繊維等が使用され、熱可塑性樹脂繊維としては、鞘がポリエチレン（ＰＥ）で芯がポリエチレンテレフタレート（ＰＥＴ）の所謂鞘芯構造の複合繊維等が使用される。なお、この液体吸収性繊維としてレーヨン繊維を用いてもよく、熱可塑性樹脂繊維としてポリプロピレン（ＰＰ）の単独繊維や、ＰＥの単独繊維を用いてもよい。また、高吸収性ポリマー（所謂ＳＡＰ）等の液体吸収性粒状物を液体吸収性繊維に加えてもよい。
【００３４】
上側シート１２は、吸収性コア１１と平面形状が略同形のシート部材であり、吸収性コア１１の肌側面を覆うようにして接着剤ＨＭＡによって接合されている（図３）。上側シート１２は、エアスルー不織布等の不織布やティッシュペーパー等の、液透過性に優れた柔軟なシートが用いられる。下側シート１３は、吸収性コア１１と平面形状が略同形のシート部材であり、吸収性コア１１の非肌側面を覆うようにして接着剤ＨＭＡによって接合されている（図３）。下側シート１３は、ＳＭＳ（スパンボンド／メルトブローン／スパンボンド）不織布等の不織布やティッシュペーパー等の柔軟なシートが用いられる。
【００３５】
図４は、ナプキン１の吸収体１０を厚さ方向の非肌側から見た平面図である。図４は、便宜上、ナプキン１の外形を点線で示している。吸収体１０には、吸収体１０の剛性を高め、液体の吸収性及び拡散性を向上させるために、複数の吸収体点状圧搾部ＥＤ１０が設けられている。吸収体点状圧搾部ＥＤ１０の平面形状は略円形であり、千鳥状の配置パターンとされているが、何等これに限らない。また、吸収体１０の厚みは、３ｍｍ以下、望ましくは２ｍｍ以下であり、吸収体１０の繊維密度は、１．０×１０５〜４．０×１０５（ｇ／ｍ３）で、概ね均一である。ただし、吸収体１０の単位面積当たりの繊維の質量は、長手方向における前側部と中央部と後側部とで異なっている。本実施形態において、液体吸収性繊維の単位面積当たりの質量（重量）（以下、「単位面積当たりの繊維の質量」ともいう。）は、前側部は１７５（ｇ／ｍ２）、中央部は２５０（ｇ／ｍ２）、後側部は１７５（ｇ／ｍ２）であり、中央部の単位面積当たりの繊維の質量が最も多く、前側部及び後側部の吸収体１０の厚み（ｔｂ１０）より、中央部の吸収体１０（ｔ１０）の厚みの方が大きい（ｔ１０＞ｔｂ１０）。
【００３６】
吸収体１０の前側部、中央部、後側部の各厚み、単位面積当たりの繊維の質量、及び液体吸収性繊維の密度（「繊維密度」ともいう。）は周知の方法で測定することができる。例えば、各厚みは、ミツトヨ（株）製のダイアルシックネスゲージＩＤ−Ｃ１０１２Ｃ又はそれと同等のものを使用し、接触子の面積を２０ｃｍ２、接触圧を３ｇｆ／ｃｍ２に設定して対象部位を加圧して測定したり、その他、目視で比較したり、ナプキン１を長手方向に切った断面を撮影した画像を用いて比較したりしてもよい。また、単位面積当たりの繊維の質量は、例えば、対象部位をナプキン１から対象サンプルとして切り出し、対象サンプルの質量を直示天秤（例えば、研精工業株式会社製  電子天秤ＨＦ−３００）で測定し、対象サンプルの面積を測定し、単位面積当たりの質量を算出してもよい。繊維の密度は、例えば、対象部位をナプキン１から対象サンプルとして切り出し、上述の測定方法で対象サンプル単位面積当たりの質量（ｇ／ｍ２）を測定し、上述の測定方法で対象サンプルの厚さ（ｍ）を測定して、対象サンプル単位面積当たりの質量を対象サンプルの厚さで除することで算出することができる（ｇ／ｍ３）。
【００３７】
さらに、吸収体１０の非肌側面には、幅方向の中央領域に、長手方向に沿った線状の凹部１５が形成されている。凹部１５は、着用時に少なくとも股間部に位置する股間部位を含む、吸収体１０の長手方向の全長に亘って略直線状に設けられている。なお、「股間部位」とは、着用者がナプキン１を使用した際に股間部に位置する領域であり、具体的には、ナプキン１の長手方向においてウイング粘着部４０ｗが形成されている領域をいう。凹部１５は、着用時に厚さ方向の肌側に突出して折れ曲がるように誘導する。凹部１５の詳細は、後述する。
【００３８】
トップシート２０は、ナプキン１の使用時において着用者の肌と当接する部材であり、経血等の液体を厚さ方向の肌側から非肌側に透過させ、吸収体１０に移動させる。トップシート２０は、エアスルー不織布等の適宜な不織布の液透過性の柔軟なシートが用いられる。
【００３９】
図１に示すように、トップシート２０の肌側面には、線状圧搾部ＥＬと、本体点状圧搾部ＥＤ２０が形成されており、これにより、トップシート２０と吸収体１０とが一緒に厚さ方向に圧搾されて接合一体化されている。線状圧搾部ＥＬは、吸収体１０の外周縁部に沿って複数連なって形成されていて、全体として長手方向に長い略環状をなしている。
【００４０】
線状圧搾部ＥＬは、一対の中央線状圧搾部ＥＬｃと、前側線状圧搾部ＥＬｆと、後側線状圧搾部ＥＬｂと、一対の長手線状圧搾部ＥＬｍとから成る。各線状圧搾部ＥＬの太さ（例えば、中央線状圧搾部ＥＬｃにおける幅方向の長さ）は、１ｍｍ〜１０ｍｍの幅を有している。中央線状圧搾部ＥＬｃは、長手方向に沿った形状を有しており、長手方向の中央部で、吸収体１０の幅方向の端部にそれぞれ設けられている。前側線状圧搾部ＥＬｆは、ナプキン１の前側の端部の外形に沿った形状を有しており、吸収体１０の前側に設けられている。後側線状圧搾部ＥＬｂは、ナプキン１の後側の端部の外形に沿った形状を有しており、吸収体１０の後側に設けられている。長手線状圧搾部ＥＬｍは、長手方向に沿った形状を有しており、線状圧搾部ＥＬｃと線状圧搾部ＥＬｂとの間であって、ナプキン１の後側の領域で、吸収体１０の幅方向の端部にそれぞれ設けられている。中央線状圧搾部ＥＬｃと長手線状圧搾部ＥＬｍは、長手方向に沿っていることから、厚さ方向に見た場合に、中央線状圧搾部ＥＬｃと長手線状圧搾部ＥＬｍは、それぞれ凹部１５とは交差する部分を有していない。前側線状圧搾部ＥＬｆは、前側の端部で、幅方向に所定の長さを有している圧搾部であり、厚さ方向に見た場合に、前側の端部において、凹部１５と前側圧搾部ＥＬｆが交差している。同様に、後側線状圧搾部ＥＬｂは、後側の端部で、幅方向に所定の長さを有している圧搾部であり、厚さ方向に見た場合に、後側の端部において、凹部１５と後側圧搾部ＥＬｂが交差している。これらの線状圧搾部ＥＬのうち、幅方向に所定の長さを有する圧搾部は、前側線状圧搾部ＥＬｆと後側線状圧搾部ＥＬｂである。
【００４１】
バックシート３０は、ナプキン１の使用時においてトップシート２０を透過して吸収体１０によって吸収された液体が下着等の着衣側（非肌側）に染み出すことを抑制する。バックシート３０は、ポリエチレン（ＰＥ）等の適宜な樹脂フィルムの液不透過性の柔軟なシートが用いられる。
【００４２】
図２に示すように、バックシート３０の非肌面側には、ナプキン１の使用時にナプキン１を下着等に貼付して固定するための接着部（ウイング接着部４０ｗ、本体接着部４０ｃ）が設けられている。ウイング接着部４０ｗは、ウイング部３０ｗの非肌面側に略矩形状に形成される一対の接着部である。本体接着部４０ｃは、１対のウイング接着部４０ｗの幅方向の間の部分に、バックシート３０と吸収体１０とが重複する部分で長手方向に沿った複数の帯状の領域に適宜な接着剤ＨＭＡを塗布することにより形成されている。ナプキン１を使用する際は、本体接着部３０ｃを下着の股下部（クロッチ部）内側に貼付した状態で下着ごとナプキン１を装着することで、着用者の身体に対して吸収体１０の位置がずれないようにする。同様に、ウイング接着部４０ｗは、ウイング部３０ｗの領域に、略矩形形状の領域に適宜な接着剤ＨＭＡを塗布して形成している。ナプキン１を使用する際は、ウイング部３０ｗ（２０ｗ）を非肌側に折り曲げて、ウイング接着部４０ｗを下着の股下部の外側に貼付するようにしてナプキン１が固定され、使用時の位置ずれ等を抑制する。
【００４３】
＜点状圧搾部ＥＤ１０、ＥＤ２０、及び凹部１５の形成について＞
続いて、点状圧搾部ＥＤ１０、ＥＤ２０及び凹部１５の形成について説明する。吸収体点状圧搾部ＥＤ１０及び本体点状圧搾部ＥＤ２０は、肌側又は非肌側から厚さ方向に圧搾することによって設けられており、少なくとも肌側又は非肌側が凹んでいる。凹部１５は、長手方向に沿った線状の圧搾部であり、吸収体１０（ナプキン１）の幅方向の中心線Ｘ−Ｘを含む中央領域に設けられており、略矩形状で、所定の面積を有する。また、凹部１５は、吸収体１０の非肌面側から厚さ方向に圧搾して設けられた非肌側面が凹んだ線状の凹部である。
【００４４】
図５Ａ〜図５Ｄは、点状圧搾部ＥＤ１０、ＥＤ２０、及び凹部１５の形成について説明した図である。図５Ａは、図１中のＢ−Ｂ矢視で示す部分において、加工前の吸収体１０に吸収体点状圧搾部ＥＤ１０を形成した概略断面図である。図５Ｂは、図５Ａの吸収体１０に凹部１５を形成した概略断面図である。図５Ｃは、図５Ｂの吸収体１０にトップシート２０を積層した概略断面図である。図５Ｄは、図５Ｃのナプキン１に本体点状圧搾部ＥＤ２０を形成した概略断面図である。なお、図５Ａにおける吸収体１０は、図１中のＢ−Ｂ矢視で示す部分の吸収体１０であって、点状圧搾部ＥＤ１０、ＥＤ２０及び凹部１５を形成する前の加工前の吸収体１０に吸収体点状圧搾部ＥＤ１０を形成した状態を示しており、図５Ｂは、図５Ａの吸収体１０に凹部１５を形成した加工途中の状態を示しており、図５Ｄは、吸収体１０に点状圧搾部ＥＤ１０、ＥＤ２０及び凹部１５を形成した加工後の吸収体１０を示しており、便宜上、吸収体１０として示している。また、図５Ａ、図５Ｂ、図５Ｃ中のｙ−ｙ線は厚さ方向における吸収体１０の中心線であり、図５Ｄ中のＹ−Ｙは、厚さ方向におけるナプキン１の中心線である。なお、中心線Ｙ−Ｙは、ナプキン１の厚さ方向における中心線であり、後述の吸収体１０の外側領域Ｌの厚さ方向における中心線でもある。
【００４５】
まず、吸収体点状圧搾部ＥＤ１０を形成する。加工前の吸収体１０は、その全域に亘って厚みｔ１０を有しており、吸収体１０の肌側の面は肌側面１０ｔ、非肌側の面は非肌側面１０ｂである。複数の突部を有する凸ローラー（不図示）と、表面が平らなアンビルローラー（不図示）との間のロール間隙に、加工前の吸収体１０を通して、吸収体１０の非肌側から圧搾加工を行うことにより吸収体点状圧搾部ＥＤ１０が形成される。
【００４６】
図５Ａに示すように、吸収体点状圧搾部ＥＤ１０が形成された部分は、肌側及び非肌側のそれぞれから凹んでおり、吸収体１０の厚さ方向における略中央部に位置する。また、圧搾加工によって、吸収体点状圧搾部ＥＤ１０の吸収体１０の厚みは、厚みｔ１０より小さくなり、繊維が圧し潰されて、ｔ１０の厚みを有する部分より繊維密度が高くなっている。
【００４７】
続いて、凹部１５を形成する。凹部１５は、吸収体１０の幅方向における中央領域に圧搾加工を加えることで形成される（図５Ｂ）。具体的には、搬送方向に沿って駆動回転する上ロール５１ｕと下ロール５１ｄを有する一対のロール部５０を用いて形成する。
【００４８】
図６は、一対のロール部５０の概略拡大図である。吸収体１０は長手方向が搬送方向を向いた状態で搬送され、搬送方向と直交する方向を「ＣＤ方向」と定義した場合に、吸収体１０の幅方向は、基本的にＣＤ方向を向いている。
【００４９】
上ロール５１ｕには、回転方向の全周に亘って連続して環状に突出したリブ部５１ｒが設けられており、リブ部５１ｒの回転方向と直交する断面の形状は、上ロール５１ｕの回転半径方向の外側に向かうにつれてリブ幅が狭くなり、先端にはＣＤ方向に平行な頂面５１ｒｔを備える略等脚台形状を有している。形成された凹部１５のうち、頂面５１ｒｔが当接した部分の少なくとも一部が、後述する最深部１５ｍとなる。頂面５１ｒｔのＣＤ方向（幅方向）の長さは、０．５ｍｍ〜３．０ｍｍであることが好ましく、本実施形態においては、１．０ｍｍである。また、下ロール５１ｄには、外周面にリブ部５１ｒに対向する位置に、リブ部５１ｒを挿入することができる溝部５１ｍが回転方向の全周に亘って連続して環状に設けられており、溝部５１ｍの回転方向と直交する断面の形状も、下ロール５１ｄの回転半径方向の内側に向かうにつれて溝幅が狭くなりＣＤ方向に平行な底面５１ｍｂを備える略等脚台形状を有している。
【００５０】
凹部１５は、リブ部５１ｒを溝部５１ｍに押し込んで、頂面５１ｒｔが接触した部分の吸収体１０の厚みが最も薄くなるように圧搾加工を行うことで形成される。具体的には、上下ロール５１ｕ、５１ｄの間を搬送方向に沿って、吸収体１０の非肌側面１０ｂを上ロール５１ｕ、吸収体１０の肌側面１０ｔを下ロール５１ｄ側とした状態で、吸収体１０を通過させて、図６に示すように、加工前の吸収体１０の肌側面１０ｔよりも肌側に位置する部分まで、リブ部５１ｒを溝部５１ｍに押し込むことで形成される。また、下ロール５１ｄの外周面と溝部５１ｍとの境部分と当接する吸収体１０の部分Ｐ０に、後述の肌側凹部Ｐが形成される。
【００５１】
このとき、凹部１５のうち、頂面５１ｒｔと当接して吸収体１０の厚みが最も薄くなった部分の繊維密度が高くなる。凹部１５は、アンビルロールを用いて形成した点状圧搾部ＥＤ１０、ＥＤ２０とは異なり、リブ部５１ｒを溝部５１ｍに押し込むことによって形成しているため、点状圧搾部ＥＤ１０、ＥＤ２０よりも押し固めた加工を施している。
【００５２】
続いて、図５Ｃに示すように吸収体１０の肌側から、予め接着剤ＨＭＡを塗布したトップシート２０を積層し、固着する。
【００５３】
トップシート２０を積層した後、本体点状圧搾部ＥＤ２０を形成する。トップシート２０の上からトップシート２０と吸収体１０を厚さ方向に一緒に圧搾して本体点状圧搾部ＥＤが形成される。本体点状圧搾部ＥＤ２０は、吸収体点状圧搾部ＥＤ１０と同様に、複数の突部を有する凸ローラー（不図示）と、表面が平らなアンビルローラー（不図示）との間のロール間隙にトップシート２０を載置した吸収体１０を通して、肌側から圧搾加工を行うことで形成される（図５Ｄ）。
【００５４】
本体点状圧搾部ＥＤ２０の形成後、線状圧搾部ＥＬを形成する。線状圧搾部ＥＬは、線状圧搾部ＥＬに対応した配置パターンの複数の突部を有する凸ローラー（不図示）と、表面が平らなアンビルローラー（不図示）との間のロール間隙に、吸収体１０を通して、肌側から圧搾加工を行うことにより、線状圧搾部ＥＬが形成される。
【００５５】
なお、点状圧搾部ＥＤ１０、ＥＤ２０、凹部１５、及び線状圧搾部ＥＬはいずれも厚さ方向に圧搾して形成されているが、吸収体点状圧搾部ＥＤ１０と凹部１５の形成よりも、本体点状圧搾部ＥＤ２０と線状圧搾部ＥＬの形成の方がより大きな力を加えて圧搾しているため、本体点状圧搾部ＥＤ２０と線状圧搾部ＥＬにおける吸収体１０の繊維密度は、吸収体点状圧搾部ＥＤ１０と凹部１５における吸収体１０の繊維密度より高い。
【００５６】
その後、バックシート３０を吸収体１０の非肌側から積層して固着する。このとき、予めバックシート３０の略全面に所定の塗布パターンで接着剤ＨＭＡを塗布しておき、吸収体１０の非肌面側から、一定の圧力を加えてバックシート３０を積層する。
【００５７】
＜ナプキン１の使用時について＞
以下、ナプキン１の使用時の態様について説明する。図７は、ナプキン１の使用態様について説明する図である。着用者がナプキン１を装着する際には、まず、図７の状態Ａで表されるように、平らな状態のナプキン１を下着の股下部（クロッチ部）に固定する。このとき、吸収体１０の幅方向の長さは７０ｍｍであり、ウイング部３０ｗ（２０ｗ）を非肌側に折り曲げて、ウイング接着部４０ｗを下着の股下部外側に貼付してナプキン１が固定すると、ナプキン１の幅方向の長さは、吸収体１０の幅方向の長さと同程度となる。一般的に、着用者の股間幅は約３０ｍｍであるため、この状態Ａのナプキン１（吸収体１０）の幅方向の長さの方が長い状態となっている。通常、吸収体１０の幅方向の長さが長いほど、より多くの排泄物を吸収することができるが、吸収体１０の幅方向の長さが長すぎると、着用者の股下の幅よりも大きくなるため、着用者に違和感を与えたり、想定外の部分で折れ曲がってしまったりして、排泄物が漏れてしまう恐れがある。そのため、後述のように、着用者の身体に応じて変形させることを考慮して、吸収体１０の長さを７０ｍｍ程度とすることが適切である。
【００５８】
続いて、下着を着用者の股間２０１Ｋ側に引き上げる動作を行う。このとき、図７の状態Ｂに表すようにナプキン１は、吸収体１０の凹部１５に沿って肌側に突出するように折れ曲がる。そして、ナプキン１が着用者の股間２０１Ｋに着用された状態では、図７の状態Ｃに表すように、凹部１５に誘導されて肌側に突出した部分（図８Ａ等における肌側部位Ｈ）が、膣口等の排泄口２０１Ｈｅが存在する隙間に接しやすくなる。これにより、着用者に良好なフィット性を感じさせやすくなると共に、経血等の排泄液を漏れなく吸収体１０に吸収させ易くすることができる。また、着用者の身体の形状に応じて変形するため、着用者の股幅よりも長い幅を有する吸収体１０（ナプキン１）が着用者の身体に適したサイズとなり、排泄物の吸収量を確保しつつ、ナプキン１を着用者の身体にフィットさせることができる。
【００５９】
＜凹部１５の構成及び作用について＞
まず、股間部位における凹部１５について説明する。図８Ａは、図５Ｄにおける凹部１５の概略断面図である。図９Ａは、使用前のナプキン１の凹部１５を説明する図、図９Ｂは、着用状態のナプキン１の凹部１５を説明する図である。以下の説明における各部分の長さや深さは、周知の方法で測定することができる。例えば、ナプキン１を幅方向に切った断面を撮影した画像を用いて測定することができる。
【００６０】
凹部１５は、圧搾によって形成された溝であり、使用前のナプキン１の状態において、吸収体１０の非肌側面１０ｂの、幅方向の一方側において肌側に湾曲し始めた部分から、他方側において肌側に湾曲し終えた部分までをいう。凹部１５の幅方向の長さ１５ｗは、１．５ｍｍ〜３．５ｍｍが好ましく、本実施形態においては、長さ１５ｗは約２．４ｍｍである。この１５ｗが長いほど、吸収体１０が折れ曲がりやすくなるが、凹部１５は圧搾によって形成されているため、繊維を押し潰して硬くなる恐れがあり、長さ１５ｗを長くするほど、排泄物等の液体を保持する容量が減少してしまう。そのため、肌側へ突出するように折り曲げるための折り曲げやすさと、排泄物を吸収する吸収体１０の液体吸収領域の確保を考慮して、凹部１５の幅方向の長さ１５ｗを２．０ｍｍ〜３．０ｍｍとすることが好ましい。
【００６１】
吸収体１０のうち、厚さ方向において、凹部１５に肌側から隣接する部位を肌側部位Ｈといい、幅方向において、凹部１５と重なる部分（図８Ａにおける濃い砂地模様の領域）である。また、幅方向において肌側部位Ｈに外側から隣接する部位を外側部位Ｌといい、各点状圧搾部ＥＤ１０、２０や凹部１５が形成されていない吸収体１０の厚みｔ１０を有する部分であり、外側部位Ｌの肌側面１０ｔ、非肌側面１０ｂは、加工前の吸収体１０の肌側面１０ｔ、非肌側面１０ｂとほぼ同じ位置である。本実施形態において、厚みｔ１０は、約１．３ｍｍである。
【００６２】
このとき、肌側部位Ｈの繊維密度は、外側部位Ｌの繊維密度より高い。一般的に繊維密度が高いほど毛管作用によって、より速く液体を吸収することが知られている。そのため、着用状態において（図７の状態Ｃ）、肌側に隆起するように折れ曲がると、排泄口に当接する肌側部位Ｈの繊維密度が高いことで、より速く排泄物を吸収することができる。肌側部位Ｈのうち、凹部１５の最も深い部分である最深部１５ｍに肌側から隣接する領域であり、幅方向において最深部１５ｍと重なる領域を高密度領域ＤＨという。最深部１５ｍは、幅方向に所定の長さ（例えば、約０．８ｍｍ）を有しており（図８ＡにおけるＷ）、高密度領域ＤＨは、長手方向だけでなく、幅方向に沿った平面領域を有している。
【００６３】
高密度領域ＤＨの厚さ方向の中央Ｈｃは、外側部位Ｌの厚さ方向の中央Ｌｃよりも肌側に位置している。本実施形態において、中央Ｌｃは、加工前の吸収体１０の厚さ方向の中央ｙ−ｙとほぼ同じ位置である。これによって、着用時に、着用者の股（脚）によって幅方向に力が加えられて、吸収体１０が肌側へ突出するように折れ曲がるように誘導されると、より着用者の排泄口に近い位置で排泄物を吸収することができる。
【００６４】
股間部位における最深部１５ｍの深さ、つまり、股間部位の外側部位Ｌの非肌側面１０ｂ（加工前の吸収体１０）から最深部１５ｍまでの厚さ方向の距離Ｌ２は、最深部１５ｍから肌側部位Ｈ（高密度領域ＤＨ）の肌側面１０ｔまでの厚さ方向の距離Ｌ１より長い（Ｌ２＞Ｌ１）。本実施形態においては、最深部１５ｍの深さＬ２を約０．８ｍｍとし、最深部１５ｍから肌側部位Ｈの肌側面１０ｔまでの厚さ方向の距離Ｌ１を約０．５ｍｍとして、圧縮加工により高密度領域ＤＨの繊維密度を高くしている。
【００６５】
なお、凹部１５は、股間部位に限らず、長手方向の全長に亘って、高密度領域ＤＨを有しており、肌側部位Ｈの繊維密度が、外側部位Ｌの繊維密度より高い。また、吸収体１０の股間部位を含む長手方向における中央部は、後側の端部を含む後側部より吸収体１０の厚みが大きく（ｔ１０＞ｔｂ１０）、凹部１５は、一対のロール部５０を用いて圧搾加工されているため、股間部位における肌側部位Ｈが後側の端部における肌側部位Ｈよりも強く圧搾されて、股間部位における肌側部位Ｈの繊維密度が、後側の端部における繊維密度よりも高くなっている。同様に、股間部位における高密度領域ＤＨの繊維密度は、後側の端部における高密度領域ＤＨの繊維密度より高い。さらに、吸収体１０の長手方向の全長に亘って、高密度領域ＤＨの厚さ方向の中央Ｈｃは、外側部位Ｌの厚さ方向の中央Ｌｃよりも肌側に位置している。
【００６６】
続いて、凹部１５と後側線状圧搾部ＥＬｂについて説明する。図８Ｂは、図１中のＤ−Ｄ矢視で示す概略断面であり、図８Ｃは、図１中のＥ−Ｅ矢視で示す概略断面である。図１中のＤ−Ｄ矢視で示す部分は、交差部分Ｊｂよりも長手方向の後側の凹部１５の概略断面である。図１中のＥ−Ｅ矢視で示す部分は、後側線状圧搾部ＥＬｂの概略断面図である。
【００６７】
図１に示す交差部分Ｊｂは、厚さ方向の肌側から見た場合の凹部１５と後側線状圧搾部ＥＬｂとが交差する部分であり、交差部分Ｊｆは、厚さ方向の肌側から見た場合の凹部１５と前側線状圧搾部ＥＬｆとが交差する部分である。以下、ナプキン１の後側について説明するが、前側における凹部１５と前側線状圧搾部ＥＬｆについても同様である。
【００６８】
交差部分Ｊｂは、股間部位より後側に設けられており、股間部位には設けられていない。後側線状圧搾部ＥＬｂは、凹部１５の形成よりも強い力を加えて圧搾加工を施しており、凹部１５における肌側部位Ｈ及び高密度領域ＤＨよりも後側線状圧搾部ＥＬｂの繊維密度の方が高い。さらに、後側線状圧搾部ＥＬｂの幅方向の略中央部で、吸収体１０の厚みが最も薄い領域である高密度圧搾領域ＤＥＬは、後側線状圧搾部ＥＬｂの中で最も繊維密度が高い領域であり、凹部１５の高密度領域ＤＨよりも繊維密度が高い。後側線状圧搾部ＥＬｂ及び高密度圧搾領域ＤＥＬの厚さ方向の中央は、吸収体１０の厚さ方向の略中央であり、ナプキン１の厚さ方向の中央Ｙ−Ｙとほぼ同じである。
【００６９】
ナプキン１の吸収体１０は、長手方向における中央部と後側部とで単位面積当たりの繊維の質量が異なることから、中央部（股間部位）の肌側部位Ｈは、後側部の肌側部位Ｈの繊維密度より高く、中央部の高密度領域ＤＨの繊維密度は、後側部の高密度領域ＤＨの繊維密度より高い。股間部位の高密度領域ＤＨの繊維密度をより高くして、剛性を高めることで、着用状態（図７の状態Ｃ）において、図９Ｂに示すように吸収体１０の肌側部位Ｈを肌側に隆起させる変形をさせやすくする一方、交差部分Ｊｂより長手方向の外側では、股間部位よりも起伏の少ない臀部の形状に適切にフィットさせることができる。
【００７０】
また、後側線状圧搾部ＥＬｂの繊維密度は、長手方向における中央部の肌側部位Ｈの繊維密度より高く、高密度領域ＤＨの繊維密度より高い。また、交差部分Ｊｂは、予め凹部１５を形成して、肌側部位Ｈや高密度領域ＤＨを形成した部分に、更に肌側から圧搾を加えている。そのため、交差部分Ｊｂの繊維密度は、後側線状圧搾部ＥＬｂのうち凹部１５と交差していない部分の繊維密度より高い。
【００７１】
なお、肌側部位Ｈ、高密度領域ＤＨ、後側線状圧搾部ＥＬｂ、交差部分Ｊｂの各部分の繊維密度は、必ずしも一定ではない。例えば、肌側部位Ｈにおいては、高密度領域ＤＨが最も繊維密度が高く、外側部位Ｌに隣接する部分の繊維密度は低くなっている。そのため、肌側部位Ｈ等の各部分の繊維密度が一定でない場合には、各部分の「繊維密度」は、各部分の全体における平均繊維密度を意味する。そして、繊維密度の高低を比較する際には、各部分の平均繊維密度を比較する。具体的には、上述の方法と同様に、周知の方法で測定して比較することができる。例えば、肌側部位Ｈ（幅方向の長さ１５ｗの範囲）を、長手方向の所定の長さ（１０ｍｍ）のサンプルとしてナプキン１からそれぞれ切り出し、サンプルの質量を直示天秤（例えば、研精工業株式会社製  電子天秤ＨＦ−３００）で測定し、ナプキン１を幅方向に切った断面を撮影した画像を用いて肌側部位Ｈの面積を算出し、サンプルの質量を、肌側部位Ｈの面積とサンプルとして切り出した所定の長さ（１０ｍｍ）の積で除することで、肌側部位Ｈの繊維密度を算出することができる。同様にして、各部位の繊維密度を算出し、比較することができる。
【００７２】
また、高密度圧搾領域ＤＥＬの肌側面から非肌側面までの厚さ方向の距離Ｌ４は、股間部位の高密度領域ＤＨにおける最深部１５ｍから肌側面１０ｔまでの厚さ方向の距離Ｌ１よりも小さい。また、同様に、距離Ｌ４は、後側部の高密度領域ＤＨにおける最深部１５ｍから肌側面１０ｔまでの厚さ方向の距離Ｌ３よりも小さい。つまり、高密度圧搾領域ＤＥＬの吸収体１０の厚み（Ｌ４）は、高密度領域ＤＨの吸収体１０の厚み（Ｌ１、Ｌ３）よりも小さい。
【００７３】
ナプキン１は、凹部１５を形成することによって、着用者の股（脚）で幅方向の内側への力が加えられると、肌側へ隆起する変形をさせ易くして、着用者の排泄口にフィットさせやすくしている。図９Ａは、使用前のナプキン１の凹部１５を説明する図であり、図９Ｂは、着用状態のナプキン１の凹部１５を説明する図である。図９Ａに示すように、高密度領域ＤＨの厚さ方向の中央Ｈｃが、外側部位Ｌにおける吸収体１０の厚さ方向の中央Ｌｃよりも肌側に位置しているため、図９Ｂに示すように、着用状態（図７の状態Ｃ）では、高密度領域ＤＨが最も肌側に位置して、着用者の排泄口のより近くで高密度領域ＤＨが排泄物を吸収しやすくなる。
【００７４】
このとき、ナプキン１の凹部１５は、圧搾加工によって形成されているため、肌側部位Ｈ（高密度領域ＤＨ）は、外側部位Ｌよりも繊維密度が高く、股間部位において高密度領域ＤＨや肌側部位Ｈが吸収した排泄物は、毛管作用によって、吸収体１０の前側と後側に拡散されやすくなる。もし、凹部１５の肌側部位Ｈと外側部位Ｌの繊維密度をほぼ同じにすると、吸収体１０における排泄物の拡散は、通常、略円形状に広がっていき、その拡散速度は一定であるため、股間部位に排泄物が留まってしまい、着用者に違和感を生じさせたり、肌荒れを生じさせたりする恐れがある。その点、圧搾加工によって繊維密度を高くした凹部１５を形成することによって、排泄物の流路となり、排泄物を長手方向に拡散させることができるため、股間部位に排泄物が留まってしまうことによる着用者の違和感を減少させることができる。
【００７５】
しかし、凹部１５を吸収体１０の長手方向の全長に亘って形成すると、肌側部位Ｈが吸収体１０の前端及び後端にまで形成されているため、排泄物の量が多くなると、肌側部位Ｈに沿って拡散した排泄物が吸収体１０の前端、後端から漏れてしまう恐れがある。そのため、ナプキン１は、股間部位より後側に、凹部１５と幅方向に所定の長さを有する後側線状圧搾部ＥＬｂが交差する交差部分Ｊｂを有している。これによって、排泄物を幅方向に向かって拡散させて、交差部分Ｊｂより長手方向の後側に拡散させることを軽減させることができる。つまり、肌側部位Ｈ（高密度領域ＤＨ）に沿って吸収体１０の後側に向かって拡散した排泄物が交差部分Ｊｂに到達すると、交差部分Ｊｂを分岐点として、高密度領域ＤＨよりも繊維密度が高い後側線状圧搾部ＥＬｂに向かって拡散しやすくなる。このように、ナプキン１は、後側から排泄物が漏れてしまう恐れを軽減しつつ、着用者の身体にフィットさせることができる。
【００７６】
さらに、交差部分Ｊｂにおける吸収体１０の厚みが最も薄い領域における繊維密度は、股間部位における高密度領域ＤＨの繊維密度よりも高く、交差部分Ｊｂより長手方向の外側における高密度部位ＤＨの繊維密度よりも高い。そのため、吸収体１０の股間部位で吸収され、肌側部位Ｈに沿って後側に拡散された排泄物は、肌側部位Ｈ（高密度部位ＤＨ）よりも繊維密度が高い交差部分Ｊｂに引き込まれやすくなる。そして、交差部分Ｊｂより長手方向の外側の繊維密度は交差部分Ｊｂよりも低くなっているため、排泄物は交差部分Ｊｂより後側に向かって拡散しづらくなり、ナプキン１の後端から排泄物が漏れてしまう恐れを軽減させることができる。交差部分Ｊｂの後側の凹部１５の肌側部位Ｈの繊維密度よりも、交差部分Ｊｂから幅方向に沿った領域を有する後側線状圧搾部ＥＬｂの繊維密度の方が高いため、交差部分Ｊｂまで拡散された排泄物は、交差部分Ｊｂを分岐点として、後側線状圧搾部ＥＬｂに沿って幅方向に拡散されやすくなる。
【００７７】
なお、交差部分Ｊｂは、上述のとおり、肌側部位Ｈや高密度領域ＤＨを形成した部分に、更に肌側から後側線状圧搾部ＥＬｂを形成する圧搾を加えた部分であるため、後側線状圧搾部ＥＬｂの中でも最も繊維密度が高い部分を有している。そのため、肌側部位Ｈ（高密度領域ＤＨ）に沿って拡散された排泄物は、交差部分Ｊｂの最も繊維密度が高い部分に引き込まれやすい。しかし、繊維密度が高い領域は液体を吸収しやすい性質を有しているが、液体をより多く保持することが困難な領域となっている。そのため、交差部分Ｊｂが引き込んだ液体のうち交差部分Ｊｂ内で保持することができなくなった液体は、より繊維密度の高い後側線状圧搾部ＥＬｂに沿って拡散することになる。
【００７８】
なお、交差部分Ｊｂ、交差部分Ｊｆは、股間部位には設けられず、股間部位より後側及び外側に設けられている。具体的には、交差部分Ｊｂはウイング粘着部４０ｗより後側に位置し、交差部分Ｊｆはウイング粘着部４０ｗより前側に位置している。長手方向においてウイング粘着部４０ｗと重なる位置には、凹部１５と線状圧搾部ＥＬとが交差する部分は設けられていない。吸収体１０のうち、長手方向においてウイング粘着部４０ｗが設けられている領域は、着用状態（図７の状態Ｃ）において、着用者の排泄口に近い領域で、股間部位である。吸収体１０のうち、長手方向においてウイング粘着部４０ｗが設けられている領域である股間部位には、排泄物が留まらないことが好ましいため、吸収した排泄物をより速く長手方向に拡散させる必要がある。そのため、長手方向においてウイング粘着部４０ｗが設けられている領域には、凹部１５と線状圧搾部ＥＬとが交差する部分を設けないことにして、排泄物を幅方向に拡散するよりも長手方向に拡散させることを促している。そして、ウイング粘着部４０ｗより後側に交差部分Ｊｂを設け、ウイング粘着部４０ｗより前側に交差部分Ｊｆを設けることで、着用者の肌に当接する領域から離れた領域で、排泄物を幅方向に拡散させることを促すため、吸収体１０のより広い範囲で排泄物を吸収させることができる。
【００７９】
また、図８Ａ及び図８Ｂに示すように、股間部位（中央部）及び後側部の肌側部位Ｈのうち、吸収体１０の厚みが最も薄い領域である高密度領域ＤＨの最も肌側に位置する肌側上部ＨＴは、それぞれ肌側部位Ｈに幅方向に隣接する外側部位Ｌの肌側面１０ｔより肌側に位置している。一方、後側線状圧搾部ＥＬｂのうち、吸収体１０の厚みが最も薄い領域である高密度圧搾領域ＤＥＬの最も肌側に位置する圧搾上部ＥＬＴは、後側線状圧搾部ＥＬｂと幅方向に隣接する外側部位Ｌの肌側面１０ｔより非肌側に位置しており、高密度領域ＤＥＬの最も非肌側に位置する圧搾下部ＥＬＵは、外側部位Ｌの非肌側面１０ｂより肌側に位置している。このとき、圧搾上部ＥＬＴは、股間部位における外側部位Ｌの肌側面１０ｔより非肌側に位置しており、圧搾下部ＥＬＵは、股間部位における外側部位Ｌの非肌側面１０ｂより肌側に位置している。つまり、高密度圧搾領域ＤＥＬは、吸収体１０の肌側面及び非肌側面からそれぞれ凹んでいる。
【００８０】
着用状態（図７の状態Ｃ）において、ナプキン１の股間部位は、図９Ｂに示すように、着用時に排泄物を最初に吸収する部分であり、排出された排泄物をできるだけ早く吸収するために、高密度領域ＤＨをより肌側に設けることが好ましい。そのために、股間部位における高密度領域ＤＨをより肌側に設けることで、より早く排泄物を吸収させることができる。一方、股間部位から離れた位置に設けられた後側線状圧搾部ＥＬｂは、高密度圧搾領域ＤＥＬの肌側面をより非肌側に設けて、吸収した排泄物を、吸収体１０の厚さ方向の内側で拡散させることで、排泄物が肌に接する恐れを軽減させることができる。これによって、着用者が、排泄物を排出した直後だけでなく、一定時間経過後であっても不快に感じる恐れを軽減させることができる。
【００８１】
さらに、吸収体１０の長手方向の中央部には、高密度領域ＤＨの幅方向の両外側に一対の肌側凹部Ｐが設けられており（図８Ａ）、後側部には一対の肌側凹部Ｐが設けられていない（図８Ｂ）。各肌側凹部Ｐは、吸収体１０の肌側面に、長手方向に沿って設けられている。股間部位は一対の肌側凹部Ｐを有することで、着用状態（図７の状態Ｃ）において、肌側部位Ｈが肌側に隆起するように吸収体１０が折れ曲がったときに、肌側部位Ｈのうちの肌側凹部Ｐ同士の間の領域が、着用者の肌に当接する部分となり（図９Ｂ）、肌側凹部Ｐを有さない場合よりも、より平面に近い高密度領域ＤＨを着用者の肌に当接させることができ、肌当たりを向上させることができる。なお、前側部及び後側部においては、着用者の肌に隆起させた凹部１５の平面を着用者の肌に当接させる必要が少ないため、一対の肌側凹部Ｐを後側部（前側部）に設けられていない（図８Ｂ）。
【００８２】
また、図８Ａに示すように、股間部位においては、肌側凹部Ｐの最も深い部分とトップシート２０とは離間しており、肌側凹部Ｐが設けられた部分については、肌側部位Ｈの肌側面とトップシート２０との間に空間を有している。これに対し、後側線状圧搾部ＥＬｂは、トップシート２０と吸収体１０に対して厚さ方向に圧搾加工を施しているため、図８Ｃに示すように、後側線状圧搾部ＥＬｂの肌側面とトップシート２０との間には、空間を有していない。このようなナプキン１においても、排泄物を凹部に沿って吸収体１０の長手方向に拡散し、交差部分Ｊｂで後側線状圧搾部ＥＬｂに沿って、幅方向に拡散させることができるため、吸収体１０のより広い範囲で排泄物を吸収させることができる。
【００８３】
なお、ナプキン１においては、吸収体１０の長手方向の全長に亘って凹部１５を形成したが、これに限られない。凹部１５は、股間部位、且つ股間部位より長手方向の外側に延出していればよく、例えば、吸収体１０の前端から股間部位の後端まで凹部１５を設け、前側線状圧搾部ＥＬｆと交差する部分を設けることによって、吸収体１０の前側について幅方向への排泄物の拡散を促すことができる。同様に、股間部位の前端から吸収体の後端まで凹部１５を設け、後側線状圧搾部ＥＬｂと交差する部分を設けることによって、吸収体１０の後側について幅方向への排泄物の拡散を促すことができる。但し、吸収体１０の長手方向の全長に亘って凹部１５を形成し、前側線状圧搾部ＥＬｆと後側線状圧搾部ＥＬｂのそれぞれと交差する部分を設けることによって、吸収体１０の前後において、幅方向への排泄物の拡散を促すことができるため、より広い範囲で排泄物を吸収することができ、吸収性物品１から排泄物が漏れてしまう恐れをより軽減することができる。
【００８４】
また、凹部１５の形成方法は、上述のような、単位面積当たりの繊維の質量が異なる領域を有する加工前の吸収体１０に、回転方向の全周に亘って連続して突出したリブ部５１ｒを有する上ロール５１ｕと、回転方向の全周に亘って連続して環状に設けられた溝部５１ｍを有する下ロール５１ｄとで圧搾加工を施す方法に限られない。例えば、単位面積当たりの繊維の質量が略一定の加工前の吸収体１０に、回転方向に突出高さの異なるリブ部を備えた上ロールと、回転方向の全周に亘って連続した溝部を有する一対のロール部を用いて圧搾加工を施したりする等、適宜変更することができる。
【００８５】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８６】
上述の実施形態においては、吸収体１０の長手方向における中央部の単位面積当たりの繊維の質量が、前側部及び後側部の単位面積当たりの繊維の質量より大きいことにしたが、これに限られない。吸収体１０の単位面積当たり質量を全域に亘って略均一としてもよい。繊維密度が均一である場合でも、交差部分Ｊｂ、Ｊｆを股間部位より長手方向の外側に設けることによって、股間部位で吸収した排泄物を、股間部位より長手方向の外側で幅方向に向かって拡散することができる。単位面積当たりの繊維の質量は、排泄物の吸収量や肌当たり等によって適宜変更が可能である。
【００８７】
また、吸収体１０の単位面積当たりの質量を部分的に異なるものとした場合でも、全域に亘って略均一にした場合でも、股間部位における高密度領域ＤＨの繊維密度と交差部分Ｊｂより後側における高密度領域の繊維密度を略同じにしてもよい。このような場合においも、凹部１５に沿って排泄物は長手方向の外側に拡散され、交差部分Ｊｂでより繊維密度の高い後側線状圧搾部ＥＬｂに沿って幅方向への拡散が促されるため、吸収体１０のより広い範囲で排泄物の吸収が可能となる。
【００８８】
上述の実施形態においては、図８Ａ及び図８Ｂに示すように、股間部位及び後側部の高密度領域ＤＨの肌側上部ＨＴをそれぞれ外側部位Ｌの肌側面１０ｔより肌側に設けて、肌側部位Ｈを肌側に突出させたが、これに限られない。図１０は、別の実施形態における股間部位における凹部１５の概略断面図である。図１０に示すように、股間部位における高密度領域ＤＨの肌側上部ＨＴを外側部位Ｌの肌側面１０ｔより非肌側に設けてもよい。股間部位に限らず、前側部及び後側部についても同様である。後側線状圧搾部ＥＬｂの高密度圧搾領域ＤＥＬの圧搾上部ＥＬＴは、後側線状圧搾部ＥＬｂと幅方向に隣接する外側部位Ｌの肌側面１０ｔより非肌側に設けている。このとき、肌側部位Ｈの肌側上部から外側部位Ｌの肌側面１０ｔまでの長さＬ６（図１０）は、後側線状圧搾部ＥＬｂの圧搾上部ＥＬＴから外側部位Ｌの肌側面１０ｔまでの長さＬ５（図８Ｃ）より短くすることが好ましい。これによって、股間部位においては、高密度領域ＤＨがより肌側に位置するため、図９Ｂに示すようにナプキン１が折れ曲がった状態で、高密度領域ＤＨを着用者の排泄口により近くに設けることができ、排出された排泄物をより速く吸収することができる。一方、股間部位から離れた位置に設けられた後側線状圧搾部ＥＬｂにおいては、高密度圧搾領域ＤＥＬが肌側からより離れているため、吸収した排泄物を肌側からより離れた位置で拡散することができるため、排泄物が肌に接することを軽減することができる。
【００８９】
また、股間部位における高密度領域ＤＨの肌側上部ＨＴを外側部位Ｌの肌側面１０ｔより非肌側に設けた場合には、使用前のナプキン１の状態において（図１０）、肌側部位Ｈの肌側面とトップシート２０との間に空間を有しており、高密度領域ＤＨの肌側上部ＨＴとトップシート２０とは離間している。このようなナプキン１においても、凹部１５に沿って長手方向に拡散した排泄物を、交差部分Ｊｂで後側線状圧搾部ＥＬｂに沿って、幅方向に拡散させることができるため、吸収体１０のより広い範囲で排泄物を吸収させることができる。また、着用中において、着用者の股（脚）による幅方向の力が弱められて、図９Ｂの折り曲げ形状が図９Ａのように平らに近い状態になった場合には、肌に接するトップシート２０に排泄物が残存してしまう恐れを軽減したり、着用後の処分時に手が汚れてしまう恐れを軽減したりすることができる。
【００９０】
さらに、上述の実施形態においては、吸収体１０の長手方向の中央部には、高密度領域ＤＨの幅方向の両外側に一対の肌側凹部Ｐが設けられていたが、必ずしもこれに限られない。一対の肌側凹部Ｐを有していなくても、股下部位における肌側部位Ｈの繊維密度が、長手方向の一端部における肌側部位Ｈの繊維密度より高ければ、股下部位における吸収体１０のフィット性を確保しつつ、着用者の腹部又は臀部の形状に応じた変形が可能となる。
【符号の説明】
【００９１】
１  生理用ナプキン（ナプキン）、１０  吸収体、１０ｔ  肌側面、１０ｂ  非肌側面、１１  吸収性コア、１２  上側シート、１３  下側シート、１５  凹部、１５ｍ  最深部、２０  トップシート（肌側シート）、２０ｅ  外周縁部、２０ｗ  ウイング部、３０  バックシート（非肌側シート）、３０ｅ  外周縁部、３０ｗ  ウイング部、４０ｃ  本体接着部、４０ｗウイング接着部、５０  一対のロール部、５１ｕ  上ロール、５１ｄ  下ロール、５１ｒ  リブ部、５１ｍ  溝部、５１ｒｔ  頂面、５１ｍｂ  底面、２０１Ｋ  股間、２０１Ｈｅ  排泄口、ＤＨ  高密度領域、ＤＥＬ  高密度圧搾領域、ＥＤ１０  吸収体点状圧搾部、ＥＤ２０  本体点状圧搾部、ＥＬ  線状圧搾部（圧搾部）、ＥＬｃ  中央線状圧搾部、ＥＬｆ  前側線状圧搾部（圧搾部）、ＥＬｂ  後側線状圧搾部（圧搾部）、長手線状圧搾部ＥＬｍ、ＥＬＴ  圧搾上部、ＥＬＵ  圧搾下部、Ｈ  肌側部位、ＨＴ  肌側上部、Ｊｂ  交差部分、Ｊｆ  交差部分、Ｌ  外側部位、ＨＭＡ  接着剤、Ｐ  肌側凹部
【図１】
2018102829.tif 000003
【図２】
2018102829.tif 000004
【図３】
2018102829.tif 000005
【図４】
2018102829.tif 000006
【図５】
2018102829.tif 000007
【図６】
2018102829.tif 000008
【図７】
2018102829.tif 000009
【図８】
2018102829.tif 000010
【図９】
2018102829.tif 000011
【図１０】
2018102829.tif 000012